【事件の表示】
　平成　９年特許願第５０９５０３号「選択対象物を融除するための装置」拒絶査定不服審判事件〔平成　９年　２月２７日国際公開、ＷＯ９７／０６７４０、平成１２年　１月１１日国内公表、特表２０００−５０００３３〕について、次のとおり審決する。
【結　論】
　本件審判の請求は、成り立たない。
【理　由】
Ｉ．手続の経緯・本願発明
　本願は、１９９６年８月１５日（パリ条約による優先権主張：１９９５年８月１５日、米国）を国際出願日とする出願であって、平成１９年６月２０日付けで拒絶査定がなされ、これに対し、平成１９年１０月１日に拒絶査定不服審判の請求がなされたものであって、その請求項１に係る発明は、平成１８年１２月１３日付け手続補正書により補正された明細書及び図面の記載からみて、その特許請求の範囲の請求項１に記載された事項により特定される次のとおりのものである（以下、「本願発明」という）。
　
「（ｉ）尖った遠位端部と中央管腔とを有する一次アンテナ（１４）、及び（ii）遠位端部を有する少なくとも１つの二次アンテナ（１６）を含む多重アンテナ装置であって、該二次アンテナは、一次アンテナから一次アンテナの長手方向軸線に対して横方向に展延されるように設けられ、一次アンテナ及び二次アンテナの少なくとも一方がエネルギ源に協働可能に結合されるように設けられている、前記多重アンテナ装置と、
　一次アンテナ及び二次アンテナの少なくとも一方の遠位端部に位置決めされたセンサ（２４）と、
　エネルギ源（２０）及びセンサに協働可能に結合されるように設けられたフィードバック制御装置であって、センサからの検出特性に応答して一本以上のアンテナに対しエネルギ源から供給されるエネルギの量を調節する、フィードバック制御装置と、
を含むことを特徴とする、融除装置。」
　
II．引用例の記載事項
Ａ．これに対して、原査定の拒絶の理由で引用した、特公平７−７３５８４号公報（以下、「引用例１」という）には、次の事項が図面とともに記載されている。
　１．「電気外科用具において、
（イ）　近端と、遠端と、前記近端と遠端との間に延在する複数個の内腔とを有する細長い管状部材と、
（ロ）　前記管状部材の遠端に固定された弾丸形状のセラミック製先端部材であって、前記先端部材はその中に形成された縦方向の孔を有しており、この孔は前記先端部材の外部における開口を出口としており、それは前記管状部材の縦方向軸線から横方向にずれて位置している、その弾丸形状のセラミック製先端部材と、
（ハ）　前記内腔の１つの配置された第１導線と、
（ニ）　前記管状部材の前記近端に結合されていて、かつ前記第１導線を選択的に移動させるために前記第１導線に連結された装置であって、それによって前記第１導線の遠端は前記縦方向の孔および前記開口を通過することができるようになっている、その装置と、
（ホ）　前記先端部材の前記外部に固着され、前記開口を間隙をおいて取囲んでいる電導性表面と、
（ヘ）　前記複数個の内腔の他の内腔を通過し、前記電導性表面に対して電気的に連結されている第２導線とを含むことを特徴とする電気外科用具。」（【請求項１】）
　
　２．「図１を参照すると、本発明の電気外科用具が番号１０で示されており、近端１４と遠端１６とを有する細長い、屈曲性のあるプラスチック性の管状部材１２からなっている。図２の断面図は、前記管１２が第１内腔１８と第２内腔２０とを有しているを示している。前記管は、２つの内腔を有するようにして成型されていても、あるいは、第１の管の単一の内腔内を第２の別直径の小さな管を通すことによって、２つの分離した内腔を形成してもよい。
　管状部材１２の遠端１６には、滑らかに丸くなった弾丸形状のセラミック部材２２が固定されており、前記部材はそれを完全に貫通する縦方向の孔２４を有しており、これはセラミック先端部材２２の表面において開口２６を画定している。・・・（中略）・・・
　セラミック先端２２の外面上には銀あるいはニッケルのような適当な金属の電導層２８が、メッキ、噴霧、浸液、スクリーニング、あるいはその他の方法で形成され、それらの金属は生物的に共立することができ、毒性がない。前記金属は、所定寸法のギャップ３０を画定するために、開口２６の外周から除去されており、このことの目的を以下詳細に説明する。」（【０００８】〜【００１０】段落）
　
　３．「第１導線３２が、内腔２０と、セラミック先端に形成された孔２４とを貫通している。導線３２の近端はプランジャ３４の近端に機械的に結合されており、前記プランジャは、細長い屈曲性のある管状本体１２の近端１４に固定された鋳造成型されたプラスチック製ハブ３６に形成された孔の中に嵌め込まれている。戻しばね３８がプランジャ軸３４を取囲み、通常時プランジャを近端方向は押付けておくためにハブ３６と親指ボタン４０と共に協同する。プランジャ３４をばねの力に抗して押すと、導線３２の遠端４２をセラミック先端部材２２に形成された開口２６から突出させる。それに続いてプランジャを離すと、導線３２の近端部分４２は先端２２の内部へ引き戻される。
　さらに図２に示されているように、第２導線４４がその内腔１８を貫通し、導線４４の遠端はセラミック先端に形成された金属化層２８に連結されている。本用具１０は、電線４６によって、１９８９年１０月６日付の本出願の譲渡人に譲渡されたＳｔａｓｚ特許出願第０７１２５４、２０３に記載された型のような電気外科発電機の出力端子連結されている。電線４６の中の導線は成型ハウジング３６の中で導線３２，４４に対して電気的に連結されている。」（【００１１】〜【００１２】段落）
　
　４．「使用時においては、用具１０は内視鏡を介して電気外科処理をしようとしている体内の位置に通される管状本体部分１２を有している。遠方先端２２がその位置に到達すると、外科医は親指ボタン４０を押し、導線３２の遠端部分４２を開口２６から突出させる。次に、電気外科用発電機に関する”切”足ペダルを踏むことによって、導線３２の突出部分４２とセラミック先端２２を覆っている金属化層２８との間に高周波電圧が発生される。突出導線４２と金属化層２２との間の電極領域において相当な差があるので、前記部分４２は活性的な２極電極の役割を果たし、金属化層２２はリターン電極となる。２つの電極が切除しようとする組織と接触すると、電弧が活性電極と組織との間に発生し、リターン電極へ流れ、この電弧が組織を切除する。・・・（後略）・・・」（【００１４】段落）
　
　図１には、記載１．、記載２．の記載内容に関連して、先端部材２２から、管状部材の縦方向軸線に対して横方向に第１導線３２の遠端４２が突出していることが示されている。
　
　上記記載内容を検討すると、記載１．及び記載２．には、内腔を有する管状部材の遠端に固定された、縦方向の孔を有し、電導性表面を有する弾丸形状のセラミック製先端部材と、該孔の、管状部材の縦方向軸線から横方向にずれて位置している開口を通過して選択的に移動可能な遠端を有する第１導線とを含む電気外科用具が記載されており、図１には、先端部材２２から、管状部材の縦方向軸線に対して横方向に第１導線３２の遠端４２が突出していることが示されている。
　また、記載３．には、セラミック先端部材２２の金属化層２８に連結された第２導線４４と、遠端４２を有する第１導線３２とに対して電気的に連結された電線４６が、電気外科発電機の出力端子に連結されていることが記載されているので、セラミック先端部材２２の金属化層２８と第１導線３２の遠端４２とは電気外科発電機に結合されているといえる。
　さらに、上記記載３．には、第１導線３２の遠端４２が、セラミック先端部材２２に形成された開口２６に対して進退し、突出することができるようになっていることが記載されている。
　そして、記載４．に、「導線３２の突出部分４２とセラミック先端２２を覆っている金属化層２８との間に高周波電圧が発生される」とあることから、第１導線３２と金属化層２８との間に高周波エネルギが供給されることが認められる。また、「電弧が活性電極と組織との間に発生し、リターン電極へ流れ、この電弧が組織を切除する」とあることから、この「電気外科用具」は、高周波エネルギにより組織を切除するものであることが認められる。
　
　上記記載事項及び図示内容を総合し、本願発明の記載ぶりに則って整理すると、引用例１には次の発明（以下、「引用発明」という）が記載されている。
「（ｉ）遠端に固定された弾丸形状で縦方向の孔を有するセラミック先端部材と、内腔とを有する管状部材、及び（ii）遠端を有する第１導線を含む装置であって、第１導線は、管状部材から管状部材の縦方向軸線から横方向に進退し、突出することができるように設けられ、セラミック先端部材の金属化層と第１導線とは電気外科発電機に結合される前記装置、
を含む電気外科用具。」
　
Ｂ．また、同じく原査定の拒絶の理由で引用した、国際公開第９５／１０３２６号パンフレット（以下、「引用例２」という）には、次の事項が図面とともに記載されている（訳文は、ファミリーの特表平９−５０３６８９号公報の対応する記載を援用する）。
　
　５．This invention is an endometrial ablation device and a method of manufacturing and using the device. … The emulsion is then cured to form a bladder-like coating, which is thereafter removed from the mandrel or base to form a bladder (320).（フロントページAbstract欄）
「本発明は子宮内膜剥離装置並びにこの装置を製造および使用する方法である。子宮内膜（２２）を加熱するためにＲＦ電流を子宮内膜（２２）を通して流す。電流を流して子宮内膜（２２）を加熱するための媒体として、バルーン（１０）のような導電性の拡張可能な部材を使用する。電源からバルーン（１０）へ供給された電力はバルーン（１０）上の複数の電極領域区画（３４）に選択的に供給され、区画（３４）の各々はそれに関連したサーミスタ（３２）を有し、サーミスタ（３２）からのフィードバックによって温度が監視され制御される。剥離装置を製造する方法は、市販の伸展可能なシート材を使用するか、マンドレル（３２４）または支持ベース（３５２）を提供し、このマンドレルまたは支持ベースを未硬化のエマルジョンによって被覆することを含む。そして、エマルジョンを硬化させて袋状の被覆を形成し、その後これをマンドレルまたはベースから取り外して袋（３２０）を形成する。」
　
　記載５．には、ＲＦ電流（高周波電流）により子宮内膜を加熱し、剥離するための子宮内膜剥離装置に、電源から電力が供給される複数の電極領域区画（３４）を設けると共に、区画（３４）には温度監視のためのサーミスタ（３２）を設け、サーミスタ（３２）からのフィードバックによって加熱温度を監視し制御する手段を備えたものが記載されている。
　
III．対比
　そこで、本願発明と引用発明とを対比すると、各文言の意味、機能または作用等からみて、引用発明の「電気外科用具」は、高周波エネルギにより組織を切除するものであるから、本願発明の「融除装置」に相当し、同様に「電気外科発電機」は、高周波エネルギを供給するものであるから、「エネルギ源」に相当する。
　引用発明の「遠端に固定された弾丸形状で縦方向の孔を有するセラミック先端部材と、内腔とを有する管状部材」は、「遠端」に固定された「セラミック先端部材」の「金属化層」が「電気外科発電機に結合され」るものであり、一方、本願発明の「一次アンテナ」は「尖った遠位端部と中央管腔とを有」し、「エネルギ源に協働可能に結合される」ものであって、ここで、引用発明の「遠端」は本願発明の「遠位端部」に相当し、同様に、「孔」及び「内腔」は「中央管腔」に、「結合」は「協働可能に結合」に相当するので、引用発明の「セラミック先端部材」が固定された「管状部材」は、本願発明の「一次アンテナ」に相当する。
　また、引用発明の「遠端を有する」「第１導線」は、「電気外科発電機」（「エネルギ源」に相当）に「結合される」ものであり、「管状部材」（「一次アンテナ」に相当）から「管状部材の縦方向軸線から横方向に進退し、突出することができるように設けられ」ており、一方、本願発明の「遠位端部を有する」「二次アンテナ」は、「エネルギ源に協働可能に結合され」、「一次アンテナから一次アンテナの長手方向軸線に対して横方向に展延されるように設けられ」ているものであり、ここで、引用発明の「横方向に進退し、突出することができるように」は、本願発明の「横方向に展延されるように」と、実質的に同義であるといえるから、引用発明の「第１導線」は、本願発明の「二次アンテナ」に相当する。
　さらに、引用発明の「装置」は、本願発明の「一次アンテナ」、「二次アンテナ」にそれぞれ相当する「セラミック先端部材」が固定された「管状部材」と「第１導線」とを含むものであるので、本願発明の「多重アンテナ装置」に相当する。
　
　したがって、両者は、本願発明の用語を用いて表現すると、次の点で一致する。
（一致点）
「（ｉ）遠位端部と中央管腔とを有する一次アンテナ（１４）、及び（ii）遠位端部を有する少なくとも１つの二次アンテナ（１６）を含む多重アンテナ装置であって、該二次アンテナは、一次アンテナから一次アンテナの長手方向軸線に対して横方向に展延されるように設けられ、一次アンテナ及び二次アンテナの少なくとも一方がエネルギ源に協働可能に結合されるように設けられている、前記多重アンテナ装置、
を含む融除装置。」
　
　そして、両者は、次の点で相違する（対応する引用発明（引用例記載）の用語を（　）内に示す）。
（相違点ａ）
　本願発明の一次アンテナは、尖った遠位端部を有するのに対し、引用発明の一次アンテナ（「セラミック先端部材」が固定された「管状部材」）の遠位端部は、弾丸形状であって、尖ってはいない点。
　
（相違点ｂ）
　本願発明は、一次アンテナ及び二次アンテナの少なくとも一方の遠位端部に位置決めされたセンサ（２４）と、エネルギ源（２０）及びセンサに協働可能に結合されるように設けられたフィードバック制御装置であって、センサからの検出特性に応答して一本以上のアンテナに対しエネルギ源から供給されるエネルギの量を調節する、フィードバック制御装置を有するのに対し、引用発明は、そうでない点。
　
IV．判断
　上記相違点について検討する。
（相違点ａについて）
　一般に、引用発明のような、高周波エネルギ等により組織の切除、焼灼等を行う電気外科用具において、用具の組織への経皮的導入等を目的として、その遠位端部を尖らせることは、例えば、特表平６−５００４７６号公報や米国特許第４８００８９９号明細書に示すように周知である。
　すなわち、特表平６−５００４７６号公報には、本願発明の「アンテナ」に相当するニードルプローブの電極部が尖った先端を有している旨記載されており（例えば、５ページ左下欄６〜１５行、図４参照）、米国特許第４８００８９９号明細書には、本願発明の「アンテナ」に相当するアンテナ２０は、尖った先端３０を有する皮下注射針の形状をしていて、皮膚を通過し、体内２６及び腫瘍２４に導入される旨記載されている（例えば４欄４〜８行、図１〜３参照）。
　そこで、かかる周知技術を勘案して、相違点ａに係る本願発明の発明特定事項のようにすることは、当業者が容易に想到し得たことである。
　
（相違点ｂについて）
　引用例２には、ＲＦ電流（高周波電流）により子宮内膜を加熱し、剥離するための子宮内膜剥離装置に、電源から電力が供給される複数の電極領域区画（３４）を設けると共に、区画（３４）には温度監視のためのサーミスタ（３２）を設け、サーミスタ（３２）からのフィードバックによって加熱温度を監視し制御する手段を備えたものが記載されている。
　引用例２記載の子宮内膜剥離装置は、本願発明の「アンテナ」に相当する電極領域区画に電気的エネルギを供給して組織を加熱、処理するものである点で、本願発明の「融除装置」、及び引用発明の「電気外科用具」と技術分野を共通にするものである。
　そして、引用発明は、高周波エネルギにより組織を加熱し切除するものであるので、使用に当たって適切な温度で目的の組織を除去し、周辺の組織に悪影響等が生じないようにするという、引用例２記載のものと同様な課題を有することが明らかであるから、引用発明に引用例２記載のものを適用し、相違点ｂに係る本願発明の発明特定事項のようにすることは、当業者が容易に想到し得たことであり、適用に当たって、センサ（サーミスタ）をアンテナの遠位端部に位置決めすることは、当業者が必要に応じ適宜選択し得た設計的事項にすぎない。
　なお、融除装置において、（アンテナの遠位端部に位置決めされた）センサと、エネルギ源及びセンサに協働可能に結合されるように設けられたフィードバック制御装置によって、エネルギ源から供給されるエネルギの量を調節するようにすることは、それ自体周知の技術思想でもあって、例えば、上記した特表平６−５００４７６号公報、米国特許第４８００８９９号明細書、さらに米国特許第３６３４６５２号明細書等に示すとおりであることを申し添える。
　
　そして、本願発明による効果も、引用発明、引用例２に記載されたもの及び周知技術から当業者が予測し得た程度のものであって、格別のものとはいえない。
　
Ｖ．むすび
　したがって、本願発明は、引用発明、引用例２に記載されたもの及び周知技術に基いて、当業者が容易に発明をすることができたものであるので、特許法第２９条第２項の規定により、特許を受けることができない。
　よって、結論のとおり審決する。